(57)【特許請求の範囲】
【請求項１】
容器の口部に装着され、該容器の内容物を注出させる注出口を有するキャップ本体と、
前記キャップ本体を覆蓋する頂壁を有し、該キャップ本体の後方に設けたヒンジに連結されて揺動可能に設けられるとともに覆蓋時に該キャップ本体に嵌合保持される蓋体と、
前記キャップ本体に対して前後方向に移動可能に設けられ、前方に操作部を有するスライド部材とを備え、
前記スライド部材は、前記操作部に連結するとともに後方に向けて延在する天壁を有し、該天壁は、該スライド部材を後方に移動させた際に該頂壁の内面に設けた頂壁突出部に押し当たり、前記キャップ本体と前記蓋体との嵌合を解除するとともに該蓋体を押し上げる天壁突出部を有し、
前記頂壁突出部と前記天壁突出部の少なくとも一方は、それら同士が押し当たる部位が傾斜するものであって、
前記キャップ本体は、前記注出口を有する隔壁中央部と、該隔壁中央部に連結するとともに該隔壁中央部よりも高さが低い隔壁周囲部と、該隔壁中央部の左右の側壁にそれぞれ設けられた外向き突起とを備え、
前記スライド部材は、前記天壁の下面から前記隔壁中央部の左右の側壁に沿って前記隔壁周囲部に向けて延在する一対の側壁と、これら一対の側壁にそれぞれ設けられ前記外向き突起に係合して該スライド部材を前記キャップ本体に対して抜け止め保持する一対の内向き突起を備えるキャップ。
【請求項２】
前記ヒンジは、前記容器の口部を取り囲む前記キャップ本体の装着筒と、前記頂壁から該装着筒に向けて延在する前記蓋体の周壁とを連結するものであり、
前記スライド部材は、前記天壁突出部よりも後方において前記天壁から起立し、該スライド部材を後方に移動させた際に前記周壁の内面に押し当って該蓋体を押し上げる突起を有する請求項１に記載のキャップ。
【請求項３】
前記スライド部材は、前記天壁の前側部分、前記操作部及び前記天壁突出部を備える前側スライド体と、該天壁の後側部分及び前記突起を備える後側スライド体と、該前側スライド体と該後側スライド体とを連結する弾性体とを有する請求項２に記載のキャップ。
【請求項４】
前記天壁の上方に位置するとともに前記キャップ本体に保持されるカバーを備える請求項１〜３の何れか一項に記載のキャップ。
【請求項５】
前記蓋体は、覆蓋時に前記注出口に挿入され、前記キャップ本体に対して該蓋体を嵌合保持するピンを有する請求項１〜４の何れか一項に記載のキャップ。
【発明の詳細な説明】
【技術分野】
【０００１】
本発明は、容器の口部に装着して使用されるキャップに関するものであり、特に、ヒンジを介してキャップ本体と蓋体とを連結したキャップに関する。
【背景技術】
【０００２】
例えば化粧液や薬液のような液状の内容物、或いは化粧料パウダーや塩のような粒状の内容物などを収容する容器においては、その口部に装着され、キャップ本体と蓋体とをヒンジを介して連結したキャップが多用されている。このようなキャップは、一方の手で容器を把持しておき、他方の手で蓋体を開くという両手での操作が一般的であるため、片手が塞がっているときには使用しづらいという問題を抱えている。
【０００３】
このようなキャップに対して下記の特許文献１には、キャップ本体に、ボタン部を押し込むことで蓋体が開くようにした操作体を設け、容器を把持した手でボタン部を操作することができるキャップが示されている。
【先行技術文献】
【特許文献】
【０００４】
【特許文献１】特許第４１５９２３５号公報
【発明の概要】
【発明が解決しようとする課題】
【０００５】
ところでこの操作体は、ボタン部と、蓋体のヒンジを押圧する突き押し端と、ボタン部と突き押し端とを連結するとともに弾性変形して押圧力を蓄えておく伝導杆と、ボタン部の上部に設けた勾配とを備えるものである。そしてボタン部を押し込むと、ボタン部の移動に伴って傾斜部が蓋体を僅かに持ち上げてキャップ本体と蓋体との嵌合を解除し、また、弾性変形して押圧力を蓄えた伝導杆によって突き押し端が一気にヒンジを押圧して蓋体を開くようにしている。しかし、伝導杆で蓄えられる押圧力は様々な要因で変動することがあり、動作の安定性で難があった。また、ボタン部に設けた傾斜部は、蓋体の揺動中心から遠く離れた蓋体の前方端を持ち上げるため、傾斜部では蓋体を十分に開けることはできず、伝導杆による蓋開きの不安定さを補うことはできなかった。また突き押し端はヒンジを水平方向に押圧するように構成されているため、蓋体を開く際にはより強い力で押し込む必要があった。
【０００６】
本発明は、このような問題点を解決することを課題とするものであり、片手で操作して蓋体を開くことができ、しかも蓋体を安定的に開くことができるキャップを提供することを目的とする。
【課題を解決するための手段】
【０００７】
本発明は、容器の口部に装着され、該容器の内容物を注出させる注出口を有するキャップ本体と、
前記キャップ本体を覆蓋する頂壁を有し、該キャップ本体の後方に設けたヒンジに連結されて揺動可能に設けられるとともに覆蓋時に該キャップ本体に嵌合保持される蓋体と、
前記キャップ本体に対して前後方向に移動可能に設けられ、前方に操作部を有するスライド部材とを備え、
前記スライド部材は、前記操作部に連結するとともに後方に向けて延在する天壁を有し、該天壁は、該スライド部材を後方に移動させた際に該頂壁の内面に設けた頂壁突出部に押し当たり、前記キャップ本体と前記蓋体との嵌合を解除するとともに該蓋体を押し上げる天壁突出部を有し、
前記頂壁突出部と前記天壁突出部の少なくとも一方は、それら同士が押し当たる部位が傾斜するものであって、
前記キャップ本体は、前記注出口を有する隔壁中央部と、該隔壁中央部に連結するとともに該隔壁中央部よりも高さが低い隔壁周囲部と、該隔壁中央部の左右の側壁にそれぞれ設けられた外向き突起とを備え、
前記スライド部材は、前記天壁の下面から前記隔壁中央部の左右の側壁に沿って前記隔壁周囲部に向けて延在する一対の側壁と、これら一対の側壁にそれぞれ設けられ前記外向き突起に係合して該スライド部材を前記キャップ本体に対して抜け止め保持する一対の内向き突起を備えるキャップである。
【０００８】
前記ヒンジは、前記容器の口部を取り囲む前記キャップ本体の装着筒と、前記頂壁から該装着筒に向けて延在する前記蓋体の周壁とを連結するものであり、
前記スライド部材は、前記天壁突出部よりも後方において前記天壁から起立し、該スライド部材を後方に移動させた際に前記周壁の内面に押し当って該蓋体を押し上げる突起を有することが好ましい。
【０００９】
前記スライド部材は、前記天壁の前側部分、前記操作部及び前記天壁突出部を備える前側スライド体と、該天壁の後側部分及び前記突起を備える後側スライド体と、該前側スライド体と該後側スライド体とを連結する弾性体とを有することが好ましい。
【００１０】
前記天壁の上方に位置するとともに前記キャップ本体に保持されるカバーを備えることが好ましい。
【００１１】
前記蓋体は、覆蓋時に前記注出口に挿入され、前記キャップ本体に対して該蓋体を嵌合保持するピンを有することが好ましい。
【発明の効果】
【００１２】
本発明のキャップは、スライド部材によって片手で操作して蓋体を開くことができる。またスライド部材は、操作部に連結するとともに後方に向けて延在する天壁を有し、この天壁は、スライド部材を後方に移動させた際に蓋体の頂壁の内面に設けた頂壁突出部に押し当たり、キャップ本体と蓋体との嵌合を解除するとともに蓋体を押し上げる天壁突出部を有し、頂壁突出部と天壁突出部の少なくとも一方は、それら同士が押し当たる部位が傾斜している。すなわち、傾斜を利用して蓋体を開くことができる頂壁突出部と天壁突出部を、操作部よりも後方の、よりヒンジに近い部分に設けているので、蓋体を大きく開くことができる。また、特許文献１のような伝導杆を用いていないため、蓋体を安定的に開くことができる。
【００１３】
ヒンジが、容器の口部を取り囲むキャップ本体の装着筒と、頂壁から装着筒に向けて延在する蓋体の周壁とを連結するものであり、スライド部材に、天壁突出部よりも後方において天壁から起立し、スライド部材を後方に移動させた際に周壁の内面に押し当って蓋体を押し上げる突起を設ける場合は、突起によって、蓋体の揺動中心からより離れた部分を押すことができるので、蓋体をより軽い力で開くことができる。
【００１４】
スライド部材が、天壁の前側部分、操作部及び天壁突出部を備える前側スライド体と、天壁の後側部分及び突起を備える後側スライド体と、前側スライド体と後側スライド体とを連結する弾性体とを備える場合は、操作部を押圧すると、まず前側スライド体の天壁突出部によってキャップ本体と蓋体との嵌合を解除するとともに蓋体を押し上げ、続いて、弾性体が撓んだ状態で前側スライド体が後側スライド体を後方に移動させて、突起が蓋体を押し上げる。すなわち、蓋体を開く際の押圧力が天壁突出部と突起に一度に加わらないため、更に軽い力で蓋体を開くことができる。
【００１５】
天壁の上方に位置するとともにキャップ本体に保持されるカバーを設ける場合は、内容物がスライド部材の周辺に付着するのを防止することができる。
【００１６】
蓋体に、覆蓋時に注出口に挿入され、キャップ本体に対して蓋体を嵌合保持するピンを設ける場合は、元々注出口の目詰まりを防止する機能を持つピンに、蓋体を嵌合保持する機能を持たせることができるため、別途蓋体を嵌合保持する部分を設ける必要が無くなって、キャップの構造がより簡素化できる。
【図面の簡単な説明】
【００１７】
【図１】本発明に従うキャップの第一実施形態を容器に装着した状態で示す、（ａ）は平面図であり、（ｂ）は側面視での断面図である。
【図２】図１のキャップにおいて蓋体を閉めた状態を示す、（ａ）は平面図であり、（ｂ）は（ａ）に示すＡ−Ａに沿う断面図であり、（ｃ）は（ａ）に示すＢ−Ｂに沿う断面図である。
【図３】図１のキャップにおいて蓋体を閉めた状態を示す、（ａ）は平面図であり、（ｂ）は（ａ）に示すＣ−Ｃに沿う断面図である。
【図４】（ａ）は、図２のキャップに対して操作部を押圧して蓋体を開いた状態を示す断面図であり、（ｂ）は突起と蓋体の揺動中心との関係を示す部分拡大断面図である。
【図５】本発明に従うキャップの第二実施形態を容器に装着した状態で示す、（ａ）は平面図であり、（ｂ）は側面視での断面図である。
【図６】図５のキャップにおいて蓋体を閉めた状態を示す、（ａ）は平面図であり、（ｂ）は（ａ）に示すＤ−Ｄに沿う断面図であり、（ｃ）は（ａ）に示すＥ−Ｅに沿う断面図である。
【図７】本発明に従うキャップの第三実施形態を容器に装着した状態で示す、（ａ）は平面図であり、（ｂ）は側面視での断面図である。
【図８】図７のキャップにおいて蓋体を閉めた状態を示す、（ａ）は平面図であり、（ｂ）は（ａ）に示すＦ−Ｆに沿う断面図であり、（ｃ）は（ａ）に示すＧ−Ｇに沿う断面図である。
【図９】図７のキャップにおけるスライド部材を示す、（ａ）は平面図であり、（ｂ）は側面視での断面図である。
【図１０】（ａ）は、図８のキャップに対して操作部を押圧して前側スライド体の天壁突出部で蓋体を押し上げた状態を示す断面図であり、（ｂ）は前側操作部によって後方に移動した後側スライド体の突起で蓋体を押し上げた状態を示す断面図である。
【発明を実施するための形態】
【００１８】
以下、図面を参照して、本発明に従うキャップの一実施形態について説明する。なお、本明細書、特許請求の範囲、及び要約書において、「前」とはヒンジに対して操作部が位置する側であり、「後」とはその逆側である。また「上」とは、正立姿勢の容器にキャップを装着した状態（図１に示す状態）において、キャップ本体に対して蓋体が位置する側であり、「下」とはその逆側である。また「左」、「右」とは、前方から後方に向かって視る際の向きである。
【００１９】
図１〜図４は、本発明に従うキャップの第一実施形態を示す。本実施形態のキャップ１は、キャップ本体２、スライド部材３、蓋体４、ヒンジ５で構成されている。なお、図１（ｂ）において符号１００は、キャップ１を装着する容器である。本実施形態の容器１００は、粒状の内容物を収容するものであり、筒状の口部１０１には、雄ねじ１０２を設けている。また口部１０１の上端には、未使用時において容器１００を密閉する一方、使用時には剥がされるシール１０３を備えている。
【００２０】
キャップ本体２は、口部１０１を取り囲む装着筒２ａを備えている。装着筒２ａの内周面には、雄ねじ１０２に対応する雌ねじ２ｂを備えている。また装着筒２ａの内側には、内容物を注出させる注出口２ｃが１個以上（本実施形態では５個）設けられている隔壁中央部２ｄと、装着筒２ａと隔壁中央部２ｄとを連結するとともに隔壁中央部２ｄよりも高さが低い隔壁周囲部２ｅとが設けられている。隔壁周囲部２ｅの下面には、口部１０１の上端に当接するシール壁２ｆが設けられている。
【００２１】
スライド部材３は、前方に位置し、指を押し当てて押圧する部位となる操作部３ａを備えている。操作部３ａには、後方に向けて延在する天壁３ｂが連結していて、天壁３ｂの中央部に設けた開口３ｃから隔壁中央部２ｄを突出させている。なお開口３ｃは、左右の幅は隔壁中央部２ｄと略同じであるが、前後の幅は隔壁中央部２ｄよりも大きくなっていて、キャップ本体２に対して前後に移動可能になっている。
【００２２】
またスライド部材３は、開口３ｃに沿って、天壁３ｂの下面から隔壁周囲部２ｅに向けて延在する側壁３ｄを備えている（図２（ｃ）参照）。側壁３ｄは、図２（ｃ）の拡大図に示すように、内向き突起３ｅを備えている。これに対して隔壁中央部２ｄの左右の側面には、内向き突起３ｅに係合する外向き突起２ｇが設けられていて、スライド部材３は、キャップ本体２に対して抜け止め保持される。
【００２３】
そして、図３（ｂ）に示すように天壁３ｂには、板状の天壁突出部３ｆが設けられていて、天壁突出部３ｆの後方部は、前方から後方に向かって下向きに傾いている。また天壁突出部３ｆは、図１（ａ）に示すように、装着筒２ａの中心軸線Ｏを挟んで左右に１個ずつ設けられている。更に天壁３ｂの後方には、図１（ａ）、（ｂ）に示すように、上方へ向けて起立する突起３ｇが合計２個設けられている。本実施形態の突起３ｇは、平面視で円弧状をなすとともに縦断面が矩形状になるものである。なお、突起３ｇの形状はこの実施形態に限られるものではなく、例えば平面視で矩形状をなすものであってもよい。また、縦断面において後方上部（後述する蓋体４の周壁内面に押し当たる部分）が傾斜していたり、円弧状に湾曲したりしていてもよい。
【００２４】
蓋体４は、図２に示すようにキャップ本体２及びスライド部材３を覆蓋する頂壁４ａを備えている。なお、図２（ａ）、（ｂ）に示すように、蓋体４を閉めた状態であっても、操作部３ａは常時外部に露呈している。頂壁４ａの周囲には、装着筒２ａに向けて延在する周壁４ｂが設けられている。
【００２５】
また頂壁４ａには、蓋体４を閉めた際に注出口２ｃに挿入されて内容物の目詰まりを防止するピン４ｃを設けている。なお本実施形態では、装着筒２ａの中心軸線Ｏに一番近いピン４ｃ１が注出口２ｃに対して係合されるようにしており、これによってキャップ本体２に対して蓋体４を嵌合保持することができる。また頂壁４ａの内面には、図３（ａ）、（ｂ）に示すように、天壁突出部３ｆに対応する位置に板状の頂壁突出部４ｄを合計２個備えている。すなわち天壁突出部３ｆ及び頂壁突出部４ｄは、キャップ本体２に対して蓋体４が嵌合保持される部位であるピン４ｃ１と注出口２ｃの近傍に設けられている。ここで頂壁突出部４ｄの前方部は、天壁突出部３ｆの後方部と同様に、前方から後方に向かって下向きに傾いている。
【００２６】
ヒンジ５は、薄板状であって屈曲性を有しており、装着筒２ａと周壁４ｂとに一体に連結している。これにより蓋体４は、キャップ本体２に対して揺動することができる。本実施形態では、図１に示すように合計２個のヒンジ５を設けている。更にヒンジ５の相互間には、弾性力によって蓋体４の開きを補助し、また蓋体４を開いたままの状態に維持する弾性板６が設けられている。
【００２７】
このようなキャップ１において蓋体４を開くには、図４（ａ）に示すように、前方から後方に向かって操作部３ａを押圧する。これによりスライド部材３が後方へ移動して、天壁突出部３ｆが頂壁突出部４ｄに押し当たり、ピン４ｃ１と注出口２ｃとの係合を外すとともに蓋体４を押し上げることができる。更に突起３ｇが、蓋体４の周壁４ｂの内面に押し当たることによって、蓋体４を十分に開くことができる。なお、図４（ｂ）に示すように、突起３ｇを設けることによって蓋体４の揺動中心からより離れた部分を押すことができるので（揺動中心から蓋体４を押す部分までの半径Ｒは、突起３ｇを設けることで大きくなる）、蓋体４をより軽い力で開くことができる。
【００２８】
次に、本発明に従うキャップの第二実施形態について、図５、図６を参照しながら説明する。なお、前述の実施形態と同一の機能を有する部位は、図面中に同一の符号を付して詳細な説明は省略する。
【００２９】
本実施形態のキャップ１Ａは、前述のキャップ１に対して概略、カバー７を設けたものである。カバー７は、スライド部材３の天壁３ｂに対し、その上方に位置するものであって、スライド部材３の大部分を覆い隠している。これにより、内容物がスライド部材３の周辺に付着するのを防止することができる。なお、カバー７には、天壁突出部３ｆを露呈させる窓孔７ａが設けられ、またカバー７の後方端７ｂは、突起３ｇの前方で終端している。更にカバー７は、図６（ｃ）の拡大図に示すように、キャップ本体２に保持される嵌合部７ｃを備えている。
【００３０】
このような構成になるキャップ１Ａも、キャップ１と同様に操作部３ａを押圧すると、天壁突出部３ｆと突起３ｇによって、安定的且つ十分に蓋体４を開くことができる。
【００３１】
図７〜図１０は、本発明に従うキャップの第三実施形態を示している。本実施形態のキャップ１Ｂは、概略、キャップ１のスライド部材３に代えて、スライド部材３Ｂを備えるものである。
【００３２】
図９に示すようにスライド部材３Ｂは、前述の天壁３ｂにおける前側部分、操作部３ａ及び天壁突出部３ｆを備える前側スライド体３ｈと、天壁３ｂの後側部分及び突起３ｇを備える後側スライド体３ｊと、前側スライド体３ｈと後側スライド体３ｊとを連結する弾性体３ｋとを備えている。ここで弾性体３ｋは、比較的弱い力で弾性変形するものであり、操作部３ａを押圧して前側スライド体３ｈが後方へ移動する際には、後側スライド体３ｊを後方へ移動させる前に弾性変形するものである。なお、本実施形態の弾性体３ｋは、前側スライド体３ｈと後側スライド体３ｊとを一体に連結するものであるが、これらとは別の部品であってもよい。
【００３３】
本実施形態のキャップ１Ｂでは、図１０（ａ）に示すように、操作部３ａを押圧するとまず前側スライド体３ｈの天壁突出部３ｆによって、ピン４ｃ１と注出口２ｃとの係合が外れるとともに蓋体４が押し上げられる。続いて、弾性体３ｋが撓んだ状態で前側スライド体３ｈが後側スライド体３ｊを後方に移動させて、突起３ｇが更に蓋体４を押し上げる。このように、蓋体４を開く際の押圧力は、天壁突出部３ｆと突起３ｇに順番に伝わっていくため、より軽い力で蓋体４を開くことができる。
【００３４】
本発明のキャップは、これまでに述べた実施形態に限定されるものではなく、特許請求の範囲に従う範囲で種々の変更を加えたものも含むものである。例えば、第二実施形態のカバーを第三実施形態に設けるなど、各実施形態の構成部材を入れ換えてもよい。また、前述の実施形態では、天壁突出部と頂壁突出部の両方を傾斜させていたが、何れか一方が傾斜するものでもよい。更に、キャップ本体に対して蓋体を嵌合保持するには、前述の注出口とピンとの組み合わせによるものの他、キャップ本体と蓋体にアンダーカットを別途設けてもよい。また、このようなキャップに用いられる種々の既存技術も適用可能であって、例えば容器への装着手段として、前述のねじで装着する構成に代えて打栓で装着する構成を用いてもよい。
【符号の説明】
【００３５】
１、１Ａ、１Ｂ：キャップ
２：キャップ本体
２ａ：装着筒
２ｂ：雌ねじ
２ｃ：注出口
２ｄ：隔壁中央部
２ｅ：隔壁周囲部
２ｆ：シール壁
２ｇ：外向き突起
３、３Ｂ：スライド部材
３ａ：操作部
３ｂ：天壁
３ｃ：開口
３ｄ：側壁
３ｅ：内向き突起
３ｆ：天壁突出部
３ｇ：突起
３ｈ：前側スライド体
３ｊ：後側スライド体
３ｋ：弾性体
４：蓋体
４ａ：頂壁
４ｂ：周壁
４ｃ：ピン
４ｃ１：ピン
４ｄ：頂壁突出部
５：ヒンジ
６：弾性板
７：カバー
７ａ：窓孔
７ｂ：後方端
７ｃ：嵌合部
１００：容器
１０１：口部
１０２：雄ねじ
１０３：シール
Ｏ：キャップ本体の中心軸線
【図１】
0006534599.tif 000002
【図２】
0006534599.tif 000003
【図３】
0006534599.tif 000004
【図４】
0006534599.tif 000005
【図５】
0006534599.tif 000006
【図６】
0006534599.tif 000007
【図７】
0006534599.tif 000008
【図８】
0006534599.tif 000009
【図９】
0006534599.tif 000010
【図１０】
0006534599.tif 000011